(57)【要約】【課題】筐体へのカバーの着脱を容易にした照明器具を得る。【解決手段】照明器具は、開口部１４を有する筐体１０と、筐体１０の内面に取り付けられた係止部材３０と、係止部材３０に係止され、開口部１４を覆うカバー５０と、を備え、係止部材３０は、カバー５０が開口部１４から引き出される引出動作時、および、カバー５０が開口部１４に向けて押し込まれる押込動作時に、カバー５０の移動方向に沿って移動する。【選択図】図２
2016001532.tif 000002
【特許請求の範囲】
【請求項１】
開口部を有する筐体と、
前記筐体の内面に取り付けられた係止部材と、
前記係止部材に係止され、前記開口部を覆うカバーと、を備え、
前記係止部材は、前記カバーが前記開口部から引き出される引出動作時、および、前記カバーが前記開口部に向けて押し込まれる押込動作時に、前記カバーの移動方向に沿って移動することを特徴とする照明器具。
【請求項２】
前記係止部材は、前記カバーを係止する係止部を有し、
前記係止部は、前記カバーが前記開口部から引き出されたときに、前記筐体から突出することを特徴とする請求項１記載の照明器具。
【請求項３】
前記カバーを保持する保持部材をさらに有し、
前記カバーは、前記保持部材が前記係止部材に係止されることで、前記係止部材に係止され、
前記保持部材は、前記引出動作時および前記押込動作時に、前記カバーを前記カバーの移動方向に沿って移動させることを特徴とする請求項１または請求項２に記載の照明器具。
【請求項４】
前記筐体は、第１案内部を有し、
前記係止部材は、第２案内部を有し、
当該照明器具は、前記第１案内部と前記第２案内部とに係合した係合部材をさらに備え、
前記第１案内部と前記第２案内部とは、前記カバーの移動方向と非並行であり、互いに垂直以外の角度で交差する部分を含むことを特徴とする請求項１〜請求項３の何れか１項に記載の照明器具。
【請求項５】
前記第１案内部および前記第２案内部は、前記カバーの移動方向に沿った両側に、前記係合部材を、前記カバーの移動方向に交差する方向に沿って移動させるように規定された部分を含んでいることを特徴とする請求項４記載の照明器具。
【請求項６】
前記係合部材を、前記カバーの移動方向に交差する方向に付勢する付勢手段をさらに備えたことを特徴とする請求項４または請求項５に記載の照明器具。
【請求項７】
前記第１案内部および前記第２案内部のうちの少なくとも一方は、一対の前記第１案内部または一対の前記第２案内部であって、
前記係合部材は、一対の前記第１案内部または一対の前記第２案内部のそれぞれに係合された一対の前記係合部材であって、
前記付勢手段は、一対の前記係合部材を連結していることを特徴とする請求項６記載の照明器具。
【発明の詳細な説明】
【技術分野】
【０００１】
この発明は、照明器具に関する。
【背景技術】
【０００２】
従来の照明器具において、いわゆるＶバネを利用して、器具本体にカバーを着脱自在に取り付けたものが知られている。例えば、以下の特許文献１に記載の照明器具では、器具本体の内側に設けられたＶバネ係合手段に、カバーに取り付けられたＶバネを係合させて、カバーの器具本体への着脱を行っている。
【先行技術文献】
【特許文献】
【０００３】
【特許文献１】特開平８−３１２１９号公報（第６頁、図５および図６）
【発明の概要】
【発明が解決しようとする課題】
【０００４】
しかしながら、特許文献１に記載の照明装置では、Ｖバネ係合手段が、器具本体の内側に固定されていたため、Ｖバネ係合手段に、Ｖバネを係合させることが困難な場合があった。
【０００５】
この発明は、上記のような課題を背景としてなされたものであり、カバーに係止させる係止部材を、カバーの移動方向に沿って移動自在に、筐体の内面に取り付けることによって、カバーの筐体への着脱を容易にした照明器具を得ることを目的とするものである。
【課題を解決するための手段】
【０００６】
この発明に係る照明器具は、開口部を有する筐体と、筐体の内面に取り付けられた係止部材と、係止部材に係止され、開口部を覆うカバーと、を備え、係止部材は、カバーが開口部から引き出される引出動作時、および、カバーが開口部に向けて押し込まれる押込動作時に、カバーの移動方向に沿って移動することを特徴とする。
【発明の効果】
【０００７】
この発明に係る照明器具によれば、係止部材をカバーの移動方向に沿って移動させるように構成してあるため、カバーの筐体への着脱を容易に行うことができる。
【図面の簡単な説明】
【０００８】
【図１】この発明の実施の形態１に係る照明器具の斜視図である。
【図２】図１に記載の照明器具の筐体から、カバーを取り外した状態を示す斜視図である。
【図３】この発明の実施の形態１に係る照明器具の保持部材の斜視図である。
【図４】この発明の実施の形態１に係る照明器具の係止部材の正面図である。
【図５】図４に記載の係止部材に、付勢部材を取り付けた斜視図である。
【図６】この発明の実施の形態１に係る照明器具の筐体からカバーを引き出した状態を説明する模式図である。
【図７】この発明の実施の形態１に係る照明器具の筐体にカバーを押し込む過程を説明する模式図である。
【図８】この発明の実施の形態１に係る照明器具の筐体にカバーを押し込んだ状態を説明する模式図である。
【図９】この発明の実施の形態２に係る照明器具の係止部材の斜視図である。
【図１０】この発明の実施の形態２に係る照明器具から、カバーを取り外した状態を示す斜視図である。
【図１１】この発明の実施の形態２に係る照明器具から、カバーを取り外した状態を示す正面図である。
【図１２】この発明の実施の形態２に係る照明器具のカバーを取り付ける最初の作業状態として、係止部材にカバーの取付穴を引っかけた状態の正面図である。
【図１３】この発明の実施の形態２に係る照明器具のカバーを取り付ける次の作業状態として、係止部材にカバーの取付穴を引っ掛け、スライドさせた状態の正面図である。
【図１４】この発明の実施の形態２に係る照明器具のカバーが筐体に完全に取りついている状態の正面図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置は、この発明の範囲内で適宜変更することができる。
【００１０】
実施の形態１．
［照明器具］
図１は、この発明の実施の形態１に係る照明器具１の斜視図であり、図２は、図１に記載の照明器具１から、カバー５０を取り外した状態を示す斜視図である。この実施の形態に係る照明器具１は、例えば、室内の天井等に取り付けられ、室内の調光を行うものである。照明器具１は、筐体１０および筐体１０に着脱自在に取り付けられたカバー５０を備えている。カバー５０は、第１軸Ｚに沿って移動自在な状態で、筐体１０に取り付けられている。なお、以下の説明では、第１軸Ｚに直交して相互に垂直な軸を、第２軸Ｘおよび第３軸Ｙとして説明を行う。
【００１１】
［筐体］
筐体１０は、直方体に形成されており、矩形の開口部１４を有する。この実施の形態では、概略正方形の開口部１４を有する例についての説明を行うが、開口部１４は、長方形、円形または楕円形であってもよい。筐体１０は、例えば、板金に曲げ加工を施して、溶接することによって形成される。
【００１２】
筐体１０は、例えば、固定具（図示せず）を介して、室内の天井等に取り付けられており、照明器具１全体を支持するものである。筐体１０は、その内側に、係止部材３０、照明ランプ（不図示）および照明ランプへの給電を行う電源部（不図示）等を収容している。また、筐体１０内には、ソケット（不図示）が設置されており、照明ランプは、ソケットを介して着脱自在に取り付けられている。
【００１３】
筐体１０の一対の対向する側面のそれぞれには、一対の第１案内部１２が形成されている。一対の第１案内部１２は、例えば、第１軸Ｚと平行な対称軸を中心に対称に形成されている。一対の第１案内部１２のそれぞれは、上下方向（第１軸Ｚ）に沿って延びるように円弧状に形成された長穴であり、長手方向に沿った両側で、第１案内部１２同士の間隔が広がるように形成されている。第１案内部１２の幅は、係合部材４０の頭部４０Ａ（図５参照）よりも小さく、且つ、係合部材４０の柱部４０Ｂ（図５参照）よりも大きく形成されている。第１案内部１２には、係合部材４０が係合されており、係合部材４０は、筐体１０の内側で係止部材３０を保持している。
【００１４】
［カバー］
カバー５０は、筐体１０の開口部１４を覆うものであり、筐体１０に着脱自在に取り付けられている。この実施の形態の例では、カバー５０は、カバー５０の取付部５６に取り付けられた保持部材６０を介して、筐体１０の内側に取り付けられた係止部材３０に係止される。
【００１５】
カバー５０は、枠体５２および透光部５４を有する。透光部５４は、枠体５２に取り付けられている。透光部５４は、透光性を有し、筐体１０の照明ランプから放射された光を、透過させる。透光部５４は、例えば、ポリカーボネート（ＰＣ）またはアクリル（ＰＭＭＡ）等の樹脂成形によって形成されている。
【００１６】
透光部５４は、照明器具１の設計仕様に応じて拡散、反射、演色などの光学的な機能をもたせることができる。例えば、透光部５４は、光を拡散透過する乳白色となるように、拡散材を混ぜ込んだ樹脂材料で形成される。なお、透光部５４を構成する材料としては、樹脂材料に限定されるものではなく、例えば、樹脂にガラスなどが混在されたものであってもよい。
【００１７】
枠体５２には、枠体５２の対向する２辺に、取付部５６が設けられている。取付部５６は、例えば、枠体５２とは別部材で構成されており、枠体５２に溶接固定されている。なお、取付部５６は、枠体５２と一体的に形成されていてもよい。取付部５６には、保持部材６０が取り付けられる。
【００１８】
［保持部材］
図３は、照明器具１の保持部材６０の斜視図である。保持部材６０は、例えば、金属製の線材に曲げ加工を施すことによって形成され、概略Ｖ字形状を有する。保持部材６０は、コイル部６２、脚部６４および係止部６６を含む。脚部６４は、コイル部６２の両側から延出している。係止部６６は、脚部６４の先端側で、脚部６４が延びる方向と交差する方向に突出している。係止部６６には、例えば、樹脂キャップが装着されている。保持部材６０のコイル部６２は、取付部５６に取り付けられ、係止部６６は、係止部材３０に係止される（図６参照）。カバー５０は、保持部材６０を介して、筐体１０に保持される。
【００１９】
［係止部材］
図４は、照明器具１の係止部材３０の正面図であり、図５は、図４に記載の係止部材３０に付勢手段４２を取り付けた斜視図である。係止部材３０は、側面視が概略Ｌ字形状を有し、係止部材本体３２および保持部材係止部３４を含む。保持部材係止部３４は、例えば、係止部材本体３２に溶接固定されている。保持部材係止部３４には、保持部材６０の脚部６４が係止される保持部材係止溝３４Ａが形成されている。保持部材係止溝３４Ａは、保持部材６０の脚部６４と比較して大きい径に形成されており、脚部６４は、保持部材係止溝３４Ａをスムーズにスライドすることができる。また、保持部材係止部３４は、保持部材６０の脚部６４に対応して、係止部材本体３２の左右両端側に形成されており、保持部材係止溝３４Ａは、それぞれ内側を向くように形成されている。さらに、保持部材係止部３４の間には、係止部材当接部３８が形成されている。
【００２０】
係止部材本体３２には、第３軸Ｙ方向に沿った第２案内部３６が貫通形成されている。第２案内部３６には、一対の係合部材４０が係合されており、一対の係合部材４０は、付勢手段４２によって連結されている。付勢手段４２は、例えばスプリングであり、一対の係合部材４０を互いに離れる方向に付勢している。係合部材４０は、付勢手段４２によって連結される頭部４０Ａと、頭部４０Ａよりも径が小さく、第１案内部１２及び第２案内部３６に挿通される柱部４０Ｂと、柱部４０Ｂの頭部４０Ａ側ではない方の端部に形成され、第１案内部１２及び第２案内部３６よりも径の大きな図示省略の尾部と、を有している。
【００２１】
係合部材４０は、第１案内部１２および第２案内部３６に係合されており、係合部材４０に取り付けられた係止部材３０は、上下方向（第１軸Ｚ方向）に移動自在である。第１案内部１２と第２案内部３６とは、カバー５０の移動方向と非並行であり、互いに垂直以外の角度で交差する部分を、上下方向の両側に含んでいる。このときに、係合部材４０は、第１案内部１２および第２案内部３６に案内されて、第１案内部１２の上下方向の両側では、左右方向（第２軸Ｘ方向）に移動し、且つ付勢手段４２によって付勢されている。その結果、第１案内部１２の上下方向の両側では、係合部材４０の上下方向に作用する力に対する応力が働くため、係合部材４０に取り付けられた係止部材３０は、上下方向の両側で保持される。なお、好適には、係止部材３０が下側に移動したときに、係止部材３０の係止部６６が、筐体１０の筐体端面１０Ａから突出するように、係止部材３０、筐体１０および第１案内部１２が構成されている。
【００２２】
［カバーの着脱］
図６は、照明器具１の筐体１０からカバー５０を引き出した状態を説明する模式図である。筐体１０からカバー５０を引き出すと、保持部材６０の係止部６６が、筐体１０の筐体端面１０Ａから突出する。保持部材６０の係止部６６を、筐体１０の筐体端面１０Ａから突出させた状態で、筐体１０へのカバー５０の着脱が行われる。
【００２３】
［カバーの押込動作］
図７は、照明器具１の筐体１０にカバー５０を押し込む過程を説明する模式図であり、図８は、照明器具１の筐体１０にカバー５０を押し込んだ状態を説明する模式図である。図６に示すように、係止部材３０に保持部材６０を係止させた状態で、カバー５０を筐体１０に向けて押し込むと、図７に示すように、保持部材６０の脚部６４が、保持部材係止溝３４Ａ内をスライドしながら、徐々に広がり、保持部材６０のコイル部６２が、係止部材３０の係止部材当接部３８に当接する。コイル部６２が、係止部材当接部３８に当接した状態で、さらにカバー５０を押し込むと、図８に示すように、付勢手段４２が伸縮して、係合部材４０が第１案内部１２に沿って、上方向に移動する。係合部材４０が上方向に移動すると、係合部材４０に取り付けられた係止部材３０が上方向に移動し、図８に示すように、第１案内部１２の上側端部で、係止部材３０が位置決めされる。上記のようにして、筐体１０にカバー５０が取り付けられる。
【００２４】
［実施の形態１の作用効果］
上記のように、この実施の形態では、係止部材３０が、カバー５０の移動方向に沿って移動自在に、筐体１０に取り付けられている。好適には、保持部材６０の係止部６６が、筐体１０の筐体端面１０Ａから突出した状態で、カバー５０の筐体１０への着脱が行われるため、着脱を行う箇所を目視確認しながら、カバー５０の着脱を容易に行うことができる。
【００２５】
また、この実施の形態では、カバー５０は、上下方向に、保持部材６０の脚部６４が係止部材３０の保持部材係止部３４をスライドして移動する距離に加えて、係止部材３０が第１案内部１２に案内されて移動する距離を移動する。その結果、この実施の形態では、カバー５０が引き出されたときに、カバー５０と筐体１０との間に形成される作業スペースを大きくとることができるため、カバー５０の着脱を容易に行うことができる。
【００２６】
実施の形態２．
この発明の実施の形態２に係る照明器具１Ａは、実施の形態１に係る照明器具１と同様に、例えば、室内の天井等に取り付けられ、室内の調光を行うものである。
上記の実施の形態１では、カバーに取り付けられた保持部材を利用して、カバーを筐体に取り付けた例についての説明を行った。実施の形態２では、実施の形態１と比較して、保持部材が省略された例に関する説明を行う。以下の説明では、実施の形態１と重複する部分については、説明を省略する。
【００２７】
［係止部材］
図９は、照明器具１Ａの係止部材３０Ａの斜視図である。図９に示すように、係止部材３０Ａは、側面視が概略コの字形状の引っ掛け部１３Ａを有している。引っ掛け部１３Ａは、例えば、係止部材本体３２の一端側を２回直角に折り曲げて形成されている。引っ掛け部１３Ａを形成したことによって、係止部材本体３２と引っ掛け部１３Ａとの間には、係止溝１３Ｂが形成される。
【００２８】
［カバーの枠体］
図１０は、照明器具１Ａから、カバー５０を取り外した状態を示す斜視図である。図１１は、照明器具１Ａから、カバー５０を取り外した状態を示す正面図である。図１２は、照明器具１Ａのカバー５０を取り付ける最初の作業状態として、係止部材３０Ａにカバー５０の対向する２辺に設けられた取付穴５８を引っかけた状態の正面図である。図１３は、照明器具１Ａのカバー５０を取り付ける次の作業状態として、係止部材３０Ａにカバー５０の対向する２辺に設けられた取付穴５８を引っかけ、スライドさせた状態の正面図である。図１４は、照明器具１Ａのカバー５０が筐体１０に完全に取りついている状態の正面図である。
【００２９】
図１０に示すように、カバー５０の枠体５２には、係止部材３０Ａの引っ掛け部１３Ａが引っ掛けられる取付穴５８が形成されている。取付穴５８は、幅（上下方向の幅）の異なる２段構造として形成されている。取付穴５８の引っ掛け部１３Ａが通るほどの幅の部分（第１取付穴５８Ａ）はカバー５０の中心よりもずれた位置に設けられている。取付穴５８の係止部材３０Ａの板厚が通るほどの幅の部分（第２取付穴５８Ｂ）は、例えば、カバー５０の中心位置に設けられている。
【００３０】
カバー５０を筐体１０に取り付ける際には、図１２に示すように、第１取付穴５８Ａに引っ掛け部１３Ａを挿通して、引っ掛ける。
それから、カバー５０の全体を水平方向にスライドさせて、引っ掛け部１３Ａを幅が狭い第２取付穴５８Ｂに移動させる。
この状態からカバー５０を筐体１０方向に押し込むことでカバー５０の取り付けが完了となる（図１４参照）。
【００３１】
カバー５０は横方向にスライドしないと外れない構造であるため、筐体１０に完全に取りついている状態で外れることはない。また、カバー５０が筐体１０から外れる場合には、カバー５０を付勢手段４２の弾性力以上の力で下方向に引き下げ、横方向にスライドさせ、取付穴５８に引っかかった引っ掛け部１３Ａを２箇所外す必要があり、実質的に使用者の意図しない場合にカバー５０が筐体１０から外れることはなく安全である。
【００３２】
［実施の形態２の作用効果］
上記のように、この実施の形態では、保持部材が省略された状態で、カバー５０を筐体１０に取り付けることができる。そして、係止部材３０Ａと取付穴５８によって、カバー５０を筐体１０に引っ掛け、カバー５０をスライドさせてから、カバー５０を押し上げるだけでカバー５０を筐体１０に取り付けることができるため、カバー５０の着脱を容易に行うことができる。
【００３３】
また、この実施の形態では、保持部材を省略することができる。そのため、係止部材３０Ａの構造を比較的簡素化でき、保持部材及び係止部材３０Ａの製造に要するコスト、手間を軽減できる。
【００３４】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００３５】
例えば、上記の実施の形態１および実施の形態２では、筐体１０に第１案内部１２を形成した場合を例に説明したが、第１案内部１２を係止部材３０に形成して、第２案内部３６を筐体１０に形成する構成であってもよい。
【００３６】
また、上記の実施の形態１および実施の形態２では、一対の第１案内部１２のそれぞれは、長手方向に沿った両側で、第１案内部１２同士の間隔が広がるように形成されたが、一対の第１案内部１２のそれぞれは、長手方向に沿った両側で、第１案内部１２同士の間隔が小さくなるように形成されてもよい。この場合は、例えばスプリングで構成された付勢手段４２は、一対の係合部材４０を互いに近づける方向に付勢する。
【符号の説明】
【００３７】
１  照明器具、１Ａ  照明器具、１０  筐体、１０Ａ  筐体端面、１２  第１案内部、１３Ａ  引っ掛け部、１３Ｂ  係止溝、１４  開口部、３０  係止部材、３０Ａ  係止部材、３２  係止部材本体、３４  保持部材係止部、３４Ａ  保持部材係止溝、３６  第２案内部、３８  係止部材当接部、４０  係合部材、４０Ａ  頭部、４０Ｂ  柱部、４２  付勢手段、５０  カバー、５２  枠体、５４  透光部、５６  取付部、５８  取付穴、５８Ａ  第１取付穴、５８Ｂ  第２取付穴、６０  保持部材、６２  コイル部、６４  脚部、６６  係止部、Ｌ  概略、Ｖ  概略、Ｘ  第２軸、Ｙ  第３軸、Ｚ  第１軸。
【図１】
2016001532.tif 000003
【図２】
2016001532.tif 000004
【図３】
2016001532.tif 000005
【図４】
2016001532.tif 000006
【図５】
2016001532.tif 000007
【図６】
2016001532.tif 000008
【図７】
2016001532.tif 000009
【図８】
2016001532.tif 000010
【図９】
2016001532.tif 000011
【図１０】
2016001532.tif 000012
【図１１】
2016001532.tif 000013
【図１２】
2016001532.tif 000014
【図１３】
2016001532.tif 000015
【図１４】
2016001532.tif 000016